(57)【特許請求の範囲】
【請求項１】
便器ボウル面にスリットを設けそのスリットの裏面に集水路を設けると共に便落口に、和式便器では床、洋式便器では便座にかかる人体の重さによって開閉作動する遮蔽体を備え、遮蔽体の一部に設けた通水路（６）又は遮蔽体上部の排便管側面に設けた通水路（６）に接続する排出管路（１４）に、スリットからの集水路（１１）を合流させ、更にその下流側で排出管路（１４）を分岐し、小便排出分岐管（２４）に開閉弁を設けると共に排出管路（１４）の先に槽を設け、その槽より便器ボウル面へ送水する水路を作り、便器を循環洗浄する機構を持つ固液分離洗浄水循環便器
【発明の詳細な説明】
【０００１】
【発明の属する技術分野】
本発明は大便と小便を分離する固液分離便器を洗浄水で循環洗浄する機構に関する。
【０００２】
【従来の技術】
大小便を分離しない便器の循環洗浄には様々な発明があるが、最近屎尿を焼却処理したり、コンポスト化処理をする方法がある。その際大便にあまり水分が入らないようにし、小便を分離し大便のみを貯溜することが要望されるので、発明者は平成１０年６月１０日に固液を分離する便器を出願したが、この便器は大、小便を分離するのみで水洗便器ではなかった。
【０００３】
【発明が解決しようとする課題】
従来の固液分離便器は大便と小便を分離することは出来るが、便器ボウル面の洗浄は出来なかった。大、小便はそれぞれ分離して貯溜した上で、小便と交らないように洗浄水を循環させて便器ボウル面を洗浄することを課題とする。
【０００４】
【課題を解決するための手段】
便器ボウル面にスリットを設けそのスリットの裏面に集水路を設けると共に便落口に、和式便器では床、洋式便器では便座にかかる人体の重さによって開閉作動する遮蔽体を備え、遮蔽体の一部に設けた通水路（６）又は遮蔽体上部の排便管側面に設けた通水路（６）に接続する排出管路（１４）に、スリットからの集水路（１１）を合流させ、更にその下流側で排出管路（１４）を分岐し、小便排出分岐管（２４）に開閉弁を設けると共に排出管路（１４）の先に槽を設け、その槽より便器ボウル面へ送水する水路を作り、便器を循環洗浄する機構を持つ固液分離洗浄水循環便器
【０００５】
先ず固液分離便器について説明すると、和式便器にあってはボウル面中央の金隠しの下から便落口に至る傾斜面に５ミリ〜８ミリのスリットを設け、洋式便器にあってはボウル面の前面の傾斜面に同じく５ミリ〜８ミリのスリットを逆Ｔ字型に設けている。そのスリットの裏側には集水路を設け小便だけを分離して集めるようになっている。
【０００６】
和式便器では、床に段差を持つ汽車便所型のトイレとし男性小便では上床に乗らず、男性大便及び女性大小便の場合に上床に上がって便器上に蹲踞して使用する。上床には便器の両サイドに踏板があり、人体の体重がかかるとこれに連動する作動杆が動き便落口を遮蔽する遮蔽体を開くようになっている。洋式便器では踏板の代わりに便座に着座すると同じ原理で遮蔽体が開方向に作動する。
【０００７】
用便に当たっては男性大便、女性大小便は和式便器の踏板に乗るか、洋式便器の便座に座ると遮蔽体が開き大便は直下の便槽に落下する。男女共小便はボウル面のスリットから集水路に集められ、便槽には入らず別流となって排出される。用便後、踏板及び便座から人体が離れるとスプリングの作用と重錘の重さによって遮蔽体は閉鎖状態となる。
【０００８】
男性が小便をする場合は、和式便器では下床から、洋式便器では便座に座らず放尿するので、遮蔽体は閉鎖状態のままである。遮蔽体が皿状でその一部に通水路の付いた形式のものにあっては、その通水路より、又、遮蔽体が板状で常時は便落口を閉鎖し、排便管に通水路を設けた形式のものにあってはその通水路より外部に排出され、便槽には入らない。
【０００９】
このような固液分離便器のスリット部及び遮蔽体部からの排水管路の合流する下流側で排出管路を分岐させ、その小便排出路（２４）の分岐点に開閉電磁弁を取り付ける。排出管路（１４）の先に槽を設け送水ポンプを取り付け、送水ポンプよりの管路を便器ボウル面内に設けた吐水ノズルに接続する。このポンプは手動スイッチ又は踏板、便座からの離脱時に入力するスイッチで運転される。この槽にはあらかじめ清水を満たしておく。
【００１０】
踏板、便座に着座用便時にはスリット集水管よりの小便は排水管を経由して排出管路（１４）に流入する。非着座時の小便は便皿通水路又は排便管通水路より同じ排出管路に流出する。小便排出分岐管の電磁弁は平常時開いている。用便後踏板又は便座から外れるか、手動スイッチを押すと、マイコン操作により洗浄水は一定量流れボウル面を洗い管路を経由して清水槽に還流する。ポンプ作動と同時に小便排出分岐路の電磁弁は閉じられ、一定時間後開かれるようにマイコン設定してある。
【００１１】
【発明実施の形態】
図１〜図３により遮蔽体の一部に設けた通水路からの小便及び洗浄水の流出する形式の和洋便器について説明する。（１）は和洋共便器本体で陶器又はプラスチックス製である。和式便器は大小便両用便器で段差のある床に設置されている。（２）は便器両サイドに設けられた踏板で（３）のスプリングによって下方より均一に支え常に所定の空間（ａ）を保ち、踏板上に人が乗るとその重さにより作動杆（９）が下がってこれに連動するリンク板（８）で遮蔽体（４）を開く。洋式便器では本体（１）上にある便座（２′）が、スプリング（３）によりその後部が少し上がっており常時空間（ａ）を保ち便座に人が座るとその重さにより作動杆（９）が下がってこれに連動するリンク板（２０）及び（８）が動き遮蔽体（４）を開く。
【００１２】
遮蔽体（４）は和式に合っては便器に固定された支持板（図示せず）を貫通する支軸（５）を支点として、洋式にあってはロート状便皿ケース（１５）を貫通する支軸（５）を支点として下方に回動するようになっている。
【００１３】
和式便器金隠し下の斜面は左右側面からの勾配もきつくし、小便が中心部に集まりやすいようにして、その部分にスリット（１０）を設けその裏側に集水路（１１）が設けられている。（図４）洋式便器では便器ボウル面前方の斜面の中央から便落口に向かい縦のスリット（１０）を設け、その下端から横にスリット（１０′）を逆Ｔ字形になるように形成している。（図５）各スリットは５ミリ〜８ミリ位が望ましく洋式便器の横スリットは上方の小便流入側スリット面に少しアールをとり、反対側を直角にとることで流入を良くしている。又、便皿の集水路開口部の下側に設けた集水箱（１３）に便器スリットの集水路（１１）の排水管を接続する。排便管側壁通水路の場合は集水箱を必要としないので直接管路を接続する。
【００１４】
次に遮蔽体の上部にある排便管に設けた通水路から小便を排出する固液分離便器について述べる。ボウル面のスリット及び集水路、踏板、便座による便落口遮蔽体の開閉作動等は、前述の便皿に通水路を設けたものと同じであるが、図６、図７に示すように、遮蔽体は平板で便落口をしっかり遮蔽する。便落口を形成する排便管の側面には通水路（６）があり、スリットからの管路と合流し便器外に小便を排水するようになっている。便落口には弾性体のパッキングがついておりこれによって小便は漏洩せず便槽からの臭気も遮断される。便落口は水平でも良いが図６のように傾斜していても良い。
【００１５】
次にこの便器の洗浄に関する実施例を示す。小便を集めて外部に排出する管路（１４）に勾配をもたせ少量の小便でも流れるようにする。循環洗浄をしない場合にはそのまま屋外に配管するが、循環洗浄の場合にはこの管路の適当な位置に管路の下面に垂直な分岐管（２４）を作りその分岐点下側に電磁弁（１５）をつける。主管路は屋外の槽（１６）に接続される。槽（１６）は循環水を貯留しておく水槽で、内部にフイルター（２８）を配して中央には水中ポンプ（１７）を置いている。槽の蓋（１９）には注入口（２７）とオーバーフロー管（２６）が設けられている。水中ポンプの吐水ホースは便器ボウル面に吐出するノズルに接続される。
【００１６】
この循環洗浄装置の作動を説明すると本装置の電気操作は電圧を落としてマイコン操作にしてある。和式便器の踏板、洋式便器の便座から人体が除かれると通電するようになつている。通電状態になつてスイッチを押しても良いし、踏板、便座を離れた時にポンプを直接作動させても良い。この場合には離脱後５−６秒の時差を設定する。ポンプは一定時間（約１０秒程度）で停止する。
【００１７】
小便排出分岐管の開閉弁は普通の電磁弁でも良いが、小便や尿石除去剤等の通ることを考慮しゴム筒をバネとソレノイドで閉じるような簡素で耐久性のあるものが望ましい。この弁は流水開始と共に閉じ、給水ポンプストップ後一定時間（約１０秒）後に開き通常は開状態である。
【００１８】
この洗浄装置の作動を説明すると、踏板又は便座から降りると給水ポンプが作動しノズル（１８）よりボウル面に洗浄水が流れる。遮蔽体は閉っておりボウル面を洗浄した水はスリット及び遮蔽体に設けられた通水路又は、排便管に設けた通水路（６）及び排出管路（１４）を通って槽（１６）に流入する。その際分岐された小便排出分岐管（２４）の電磁弁（１５）は閉っているので小便に混入することはない。
【００１９】
【発明の効果】
Ａ．小便の分離排出管路を利用するので便槽内に別の配管を必要としない。
Ｂ．小便を回収してから同じ管路を洗浄水が流れるので、洗浄水に小便が交じらない。
Ｃ．小便は別途回収するので、小便だけを土壌浸透させたり、蒸発散させたりすることが出来る。
Ｄ．洗浄水は蒸発する以外には漏洩しないので同じ水を長い間使用出来る。
Ｅ．遮蔽体上部の排便管に通水路を設ける形式では管路に脱臭扇を設けることによりトイレの脱臭も可能。
【図面の簡単な説明】
【図１】固液分離洗浄水循環洋式便器便皿通水路形断面図
【図２】固液分離和式便器便皿通水路形断面図
【図３】便皿斜視図
【図４】和式便器設置時斜視図
【図５】洋式便器上面図
【図６】固液分離洗浄水循環和式便器排便管通水路形断面図
【図７】固液分離洗浄水循環洋式便器排便管通水路形断面図
【図８】排便管通水路断面図
【図９】洗浄水槽断面図
【符号の説明】
１．便器                １６．槽
２．踏板                １７．ポンプ
２’便座                １８．吐水ノズル
３．スプリング          １９．槽蓋
４．遮蔽体              ２０．リンク板
５．遮蔽体支軸          ２１．マイコン
６．通水路              ２２．押しボタン
７．重錘                ２３．マイクロスイッチ
８．リンク板            ２４．小便排出分岐管
９．作動杆              ２５．フィルター
１０．便器スリット        ２６．オーバーフロー管
１１．集水路              ２７．注水口
１２．パッキング          ２８．排便管
１３．集水箱
１４．排出管路
１５．電磁弁
【図１】
0004051404.tif 000002
【図２】
0004051404.tif 000003
【図３】
0004051404.tif 000004
【図４】
0004051404.tif 000005
【図５】
0004051404.tif 000006
【図６】
0004051404.tif 000007
【図７】
0004051404.tif 000008
【図８】
0004051404.tif 000009
【図９】
0004051404.tif 000010